(57)【要約】【課題】本発明は、簡単な構成で扉が開いていることを検知できるエレベーター制御装置を提供することを目的とする。【解決手段】エレベーター制御装置は、第１扉２、第２扉３及び第３扉４と、第１扉２に設けられ、第１扉２が閉じると筐体側接点部７に接触する第１接点部８と、第１扉２に設けられ、第１接点部８と電気的に接続された第２接点部９と、第２扉３に設けられ、第２扉３が閉じると筐体側接点部７と電気的に接続される第３接点部１０と、第３扉４に設けられた第４接点部１１と、第３扉４に設けられ、第４接点部１１と電気的に接続された第５接点部１２と、を備え、第３扉４は複数設けられ、全ての扉が閉じると、第４接点部１１のうちの１つが第２接点部９に接触し、第５接点部１２のうちの１つが第３接点部１０に接触し、全ての接点部を含む１つの閉回路が形成されるものである。【選択図】図１
2016003123.tif 000002
【特許請求の範囲】
【請求項１】
開口面を有する筐体と、
前記筐体に設けられた筐体側接点部と、
前記開口面を開閉する第１扉及び第２扉と、
前記第１扉に設けられ、前記第１扉が閉じると前記筐体側接点部に接触する第１接点部と、
前記第１扉に設けられ、前記第１接点部と電気的に接続された第２接点部と、
前記第２扉に設けられ、前記第１扉及び前記第２扉が閉じると前記第２接点部に接触し且つ前記筐体側接点部と電気的に接続される第３接点部と、
を備えたエレベーター制御装置。
【請求項２】
開口面を有する筐体と、
前記筐体に設けられた筐体側接点部と、
前記開口面を開閉する第１扉、第２扉及び第３扉と、
前記第１扉に設けられ、前記第１扉が閉じると前記筐体側接点部に接触する第１接点部と、
前記第１扉に設けられ、前記第１接点部と電気的に接続された第２接点部と、
前記第２扉に設けられ、前記第２扉が閉じると前記筐体側接点部と電気的に接続される第３接点部と、
前記第３扉に設けられ、前記第１扉及び前記第３扉が閉じると前記第２接点部に接触する第４接点部と、
前記第３扉に設けられ、前記第４接点部と電気的に接続され、前記第２扉及び前記第３扉が閉じると前記第３接点部に接触する第５接点部と、
を備えたエレベーター制御装置。
【請求項３】
開口面を有する筐体と、
前記筐体に設けられた筐体側接点部と、
前記開口面を開閉する第１扉、第２扉及び第３扉と、
前記第１扉に設けられ、前記第１扉が閉じると前記筐体側接点部に接触する第１接点部と、
前記第１扉に設けられ、前記第１接点部と電気的に接続された第２接点部と、
前記第２扉に設けられ、前記第２扉が閉じると前記筐体側接点部と電気的に接続される第３接点部と、
前記第３扉に設けられた第４接点部と、
前記第３扉に設けられ、前記第４接点部と電気的に接続された第５接点部と、
を備え、
電気的に接続された前記第４接点部と前記第５接点部とが設けられた前記第３扉は複数設けられ、
前記第１扉、前記第２扉及び複数の前記第３扉の全てが閉じると、前記第４接点部のうちの１つが前記第２接点部に接触し、前記第５接点部のうちの１つが前記第３接点部に接触し、前記筐体側接点部、前記第１接点部、前記第２接点部、前記第３接点部、前記第４接点部及び前記第５接点部の全てを含む１つの閉回路が形成されるエレベーター制御装置。
【請求項４】
前記筐体側接点部、前記第１接点部、前記第２接点部及び前記第３接点部は、弾性を有するものを含む請求項１に記載のエレベーター制御装置。
【請求項５】
前記筐体側接点部、前記第１接点部、前記第２接点部、前記第３接点部、前記第４接点部及び前記第５接点部は、弾性を有するものを含む請求項２又は３に記載のエレベーター制御装置。
【請求項６】
前記筐体側接点部、前記第１接点部、前記第２接点部及び前記第３接点部は、磁石を備えたものを含む請求項１又は４に記載のエレベーター制御装置。
【請求項７】
前記筐体側接点部、前記第１接点部、前記第２接点部、前記第３接点部、前記第４接点部及び前記第５接点部は、磁石を備えたものを含む請求項２、３及び５のいずれか１項に記載のエレベーター制御装置。
【請求項８】
前記筐体側接点部、前記第１接点部、前記第２接点部及び前記第３接点部は、コネクタとして形成されたものを含む請求項１、４及び６のいずれか１項に記載のエレベーター制御装置。
【請求項９】
前記筐体側接点部、前記第１接点部、前記第２接点部、前記第３接点部、前記第４接点部及び前記第５接点部は、コネクタとして形成されたものを含む請求項２、３、５及び７のいずれか１項に記載のエレベーター制御装置。
【請求項１０】
前記第１扉及び前記第２扉は、スライド構造を備えた扉及びヒンジ構造を備えた扉の双方を含む請求項１、４、６及び８のいずれか１項に記載のエレベーター制御装置。
【請求項１１】
前記第１扉、前記第２扉及び前記第３扉は、スライド構造を備えた扉及びヒンジ構造を備えた扉の双方を含む請求項２、３、５、７及び９のいずれか１項に記載のエレベーター制御装置。
【請求項１２】
前記第２接点部は、絶縁保護された電線により前記第１接点部と接続された請求項１、４、６、８及び１０のいずれか１項に記載のエレベーター制御装置。
【請求項１３】
前記第２接点部は、絶縁保護された電線により前記第１接点部と接続され、
前記第５接点部は、絶縁保護された電線により前記第４接点部と接続された請求項２、３、５、７、９及び１１のいずれか１項に記載のエレベーター制御装置。
【発明の詳細な説明】
【技術分野】
【０００１】
本発明は、エレベーター制御装置に関するものである。
【背景技術】
【０００２】
下記特許文献１には、複数の扉を備えた制御盤が記載されている。この制御盤は、扉が開いていることを検知するスイッチ機構を備えている。
【先行技術文献】
【特許文献】
【０００３】
【特許文献１】特開２００９−４４８４４号公報
【発明の概要】
【発明が解決しようとする課題】
【０００４】
特許文献１に記載の制御盤では、隣接する扉が突き合わされる部分ごとにスイッチ機構を設ける必要がある。このため、上記の制御盤は、扉の数が多い場合に構成が複雑となる。
【０００５】
本発明は、上記の課題を解決するためになされた。その目的は、簡単な構成で扉が開いていることを検知できるエレベーター制御装置を提供することである。
【課題を解決するための手段】
【０００６】
本発明に係るエレベーター制御装置は、開口面を有する筐体と、筐体に設けられた筐体側接点部と、開口面を開閉する第１扉及び第２扉と、第１扉に設けられ、第１扉が閉じると筐体側接点部に接触する第１接点部と、第１扉に設けられ、第１接点部と電気的に接続された第２接点部と、第２扉に設けられ、第１扉及び第２扉が閉じると第２接点部に接触し且つ筐体側接点部と電気的に接続される第３接点部と、を備えたものである。
【０００７】
本発明に係るエレベーター制御装置は、開口面を有する筐体と、筐体に設けられた筐体側接点部と、開口面を開閉する第１扉、第２扉及び第３扉と、第１扉に設けられ、第１扉が閉じると筐体側接点部に接触する第１接点部と、第１扉に設けられ、第１接点部と電気的に接続された第２接点部と、第２扉に設けられ、第２扉が閉じると筐体側接点部と電気的に接続される第３接点部と、第３扉に設けられ、第１扉及び第３扉が閉じると第２接点部に接触する第４接点部と、第３扉に設けられ、第４接点部と電気的に接続され、第２扉及び第３扉が閉じると第３接点部に接触する第５接点部と、を備えたものである。
【０００８】
本発明に係るエレベーター制御装置は、開口面を開閉する第１扉、第２扉及び第３扉と、第１扉に設けられ、第１扉が閉じると筐体側接点部に接触する第１接点部と、第１扉に設けられ、第１接点部と電気的に接続された第２接点部と、第２扉に設けられ、第２扉が閉じると筐体側接点部と電気的に接続される第３接点部と、第３扉に設けられた第４接点部と、第３扉に設けられ、第４接点部と電気的に接続された第５接点部と、を備え、電気的に接続された第４接点部と第５接点部とが設けられた第３扉は複数設けられ、第１扉、第２扉及び複数の第３扉の全てが閉じると、第４接点部のうちの１つが第２接点部に接触し、第５接点部のうちの１つが第３接点部に接触し、筐体側接点部、第１接点部、第２接点部、第３接点部、第４接点部及び第５接点部の全てを含む１つの閉回路が形成されるものである。
【発明の効果】
【０００９】
本発明において、開口面を開閉する複数の扉の全てが閉じると、１つの閉回路が形成される。このため、本発明によれば、簡単な構成でエレベーター制御装置の扉が開いていることを検知することができる。
【図面の簡単な説明】
【００１０】
【図１】本発明の実施の形態１におけるエレベーター制御装置の一例を示す斜視図である。
【図２】本発明の実施の形態１におけるエレベーター制御装置の構成を説明するための側面図である。
【図３】本発明の実施の形態１におけるエレベーター制御装置の構成を説明するための側面図である。
【図４】本発明の実施の形態２におけるエレベーター制御装置の構成を説明するための斜視図である。
【図５】本発明の実施の形態３におけるエレベーター制御装置の構成を説明するための斜視図である。
【図６】本発明の実施の形態４におけるエレベーター制御装置の構成を説明するための側面図である。
【図７】本発明の実施の形態５におけるエレベーター制御装置の一例を示す斜視図である。
【発明を実施するための形態】
【００１１】
添付の図面を参照して、本発明を詳細に説明する。各図では、同一又は相当する部分に同一の符号を付している。重複する説明は、適宜簡略化あるいは省略する。
【００１２】
実施の形態１．
図１は、実施の形態１におけるエレベーター制御装置の一例を示す斜視図である。以下、図１を参照して、エレベーター制御装置の構成の一例について説明する。
【００１３】
図１に示すように、エレベーター制御装置は、筐体１を備えている。筐体１は、例えば、昇降路の内部等に設置されている。筐体１の内部には、例えば、エレベーターを制御する機器等が収納されている。
【００１４】
筐体１は、開口面を有している。エレベーター制御装置は、筐体１の開口面を開閉する複数の扉を備えている。エレベーター制御装置は、第１扉２、第２扉３及び第３扉４を備えている。第１扉２、第２扉３及び第３扉４は、例えば、全て同じ形状且つ同じ大きさに形成されている。第３扉４は、複数設けられている。複数の第３扉４を区別する場合は、符号に小文字の英字を付して表記する。図１は、一例として、３つの第３扉４を備えたエレベーター制御装置を示している。図１に示すエレベーター制御装置は、第３扉４ａ、第３扉４ｂ及び第３扉４ｃを備えている。
【００１５】
第１扉２は、開口面の下端側の領域を開閉する位置に設けられている。第１扉２の下端は、第１扉２が閉じると、開口面の下端を形成する筐体１の縁部に沿って位置する。第１扉２の左端は、第１扉２が閉じると、開口面の左端を形成する筐体１の縁部に沿って位置する。第１扉２の右端は、第１扉２が閉じると、開口面の右端を形成する筐体１の縁部に沿って位置する。
【００１６】
第２扉３は、開口面の上端側の領域を開閉する位置に設けられている。第２扉３の上端は、第２扉３が閉じると、開口面の上端を形成する筐体１の縁部に沿って位置する。第２扉３の左端は、第２扉３が閉じると、開口面の左端を形成する筐体１の縁部に沿って位置する。第２扉３の右端は、第２扉３が閉じると、開口面の右端を形成する筐体１の縁部に沿って位置する。
【００１７】
第３扉４は、第１扉２と第２扉３との間に設けられている。つまり、第３扉４は、開口面のうち第１扉２及び第２扉３が開閉しない領域を開閉する。第３扉４ａは、第１扉２の上側に隣接して設けられている。第３扉４ｂは、第３扉４ａの上側に隣接して設けられている。第３扉４ｃは、第３扉４ｂの上側に隣接して設けられている。第３扉４ｃは、第２扉３の下側に隣接して設けられている。第３扉４ａの下端は、第１扉２及び第３扉４ａが閉じると、第１扉２の上端に沿って位置する。第３扉４ｂの下端は、第３扉４ａ及び第３扉４ｂが閉じると、第３扉４ａの上端に沿って位置する。第３扉４ｃの下端は、第３扉４ｂ及び第３扉４ｃが閉じると、第３扉４ｂの上端に沿って位置する。第３扉４ｃの上端は、第２扉３及び第３扉４ｃが閉じると、第２扉３の下端に沿って位置する。第３扉４の左端は、第３扉４が閉じると、開口面の左端を形成する筐体１の縁部に沿って位置する。第３扉４の右端は、第３扉４が閉じると、開口面の右端を形成する筐体１の縁部に沿って位置する。
【００１８】
このように、筐体１の開口面は、第１扉２、第２扉３及び第３扉４によって開閉される。エレベーター制御装置は、第１扉２、第２扉３及び第３扉４以外の扉を備えていない。
【００１９】
エレベーター制御装置は、検知部５及び導体６を備えている。検知部５は、例えば、筐体１の内部の機器又は基板等である。導体６は、導電性を有する部材で形成されている。また、導体６は、絶縁保護されている。なお、図１は、検知部５及び導体６についての接続の関係を示しているが、検知部５及び導体６の実際の配置を限定するものではない。
【００２０】
エレベーター制御装置は、筐体側接点部７を備えている。筐体側接点部７は、導電性を有する部材で形成されている。筐体側接点部７は、筐体１に対して着脱可能に設けられている。筐体側接点部７は、例えば、筐体１の開口面を形成する縁部に設けられている。筐体側接点部７は、例えば、筐体１の下端部に設けられている。筐体側接点部７は、導体６によって検知部５と接続されている。つまり、筐体側接点部７は、検知部５と電気的に接続されている。
【００２１】
第１扉２には、第１接点部８及び第２接点部９が設けられている。第１接点部８及び第２接点部９は、導電性を有する部材で形成されている。第１接点部８及び第２接点部９は、第１扉２に対して着脱可能に設けられている。第１接点部８は、第１扉２の下端部に設けられている。第２接点部９は、第１扉２の上端部に設けられている。第２接点部９は、導体６によって第１接点部８と接続されている。つまり、第２接点部９は、第１接点部８と電気的に接続されている。
【００２２】
第２扉３には、第３接点部１０が設けられている。第３接点部１０は、導電性を有する部材で形成されている。第３接点部１０は、第２扉３に対して着脱可能に設けられている。第３接点部１０は、第２扉３の下端部に設けられている。第３接点部１０は、導体６によって検知部５と接続されている。つまり、第３接点部１０は、検知部５を介して筐体側接点部７と電気的に接続されている。
【００２３】
第３扉４には、第４接点部１１及び第５接点部１２が設けられている。第４接点部１１及び第５接点部１２は、導電性を有する部材で形成されている。第４接点部１１及び第５接点部１２は、第３扉４に対して着脱可能に設けられている。第４接点部１１は、第３扉４の下端部に設けられている。第５接点部１２は、第３扉４の上端部に設けられている。第５接点部１２は、導体６によって第４接点部１１と接続されている。第３扉４ａの第５接点部１２は、導体６によって第３扉４ａの第４接点部１１と接続されている。第３扉４ｂの第５接点部１２は、導体６によって第３扉４ｂの第４接点部１１と接続されている。第３扉４ｃの第５接点部１２は、導体６によって第３扉４ｃの第４接点部１１と接続されている。つまり、同一の第３扉４に設けられた第４接点部１１と第５接点部１２とが電気的に接続されている。
【００２４】
このように、エレベーター制御装置は、筐体側接点部７、第１接点部８、第２接点部９、第３接点部１０、第４接点部１１及び第５接点部１２を備えている。以下、これらを総称して「接点部」と呼ぶ。各接点部は、例えば、同じ形状及び同じ大きさに形成されている。
【００２５】
第１接点部８は、第１扉２が閉じると、筐体側接点部７に接触する。第３扉４ａの第４接点部１１は、第１扉２及び第３扉４ａが閉じると、第２接点部９に接触する。第３扉４ｂの第４接点部１１は、第３扉４ａ及び第３扉４ｂが閉じると、第３扉４ａの第５接点部１２と接触する。第３扉４ｃの第４接点部１１は、第３扉４ｂ及び第３扉４ｃが閉じると、第３扉４ｂの第５接点部１２と接触する。第３接点部１０は、第３扉４ｃ及び第２扉３が閉じると、第３扉４ｃの第５接点部１２と接触する。
【００２６】
第１扉２、第２扉３及び複数の第３扉４の全てが閉じると、次のような状態となる。第４接点部１１のうちの１つが、第２接点部９に接触する。第５接点部１２のうちの１つが、第３接点部１０に接触する。他の第５接点部１２は、他の第４接点部１１に１対１で接触する。結果として、筐体側接点部７、第１接点部８、第２接点部９、第３接点部１０、第４接点部１１及び第５接点部１２の全てを含む１つの閉回路が形成される。
【００２７】
図２及び図３は、実施の形態１におけるエレベーター制御装置の構成を説明するための側面図である。図２及び図３は、隣接する２つの扉の関係を示している。図２及び図３は、一例として、第３扉４ａと第３扉４ｂの関係を示している。
【００２８】
図２は、第３扉４ａが閉じており、第３扉４ｂが開いている状態を示している。この状態では、第３扉４ｂの第４接点部１１は、第３扉４ａの第５接点部１２と接触していない。この場合、図２に図示しない他の接点部の全てが電気的に接続されていたとしても、上記閉回路は形成されない。つまり、図２に図示しない他の扉が全て閉じていたとしても、上記閉回路は形成されない。
【００２９】
図３は、第３扉４ａ及び第３扉４ｂの双方が閉じている状態を示している。この状態では、第３扉４ｂの第４接点部１１は、第３扉４ａの第５接点部１２と接触している。この場合、図２に図示しない他の接点部の全てが電気的に接続されていれば、上記閉回路が形成される。つまり、図２に図示しない他の扉が全て閉じていれば、上記閉回路が形成される。
【００３０】
このように、第１扉２、第２扉３及び複数の第３扉４のうち１つでも開いている場合は、上記閉回路は形成されない。一方、第１扉２、第２扉３及び複数の第３扉４の全てが閉じると、上記閉回路が形成される。なお、図２及び図３を用いて説明した隣接する２つの扉の関係は、第３扉４ａと第３扉４ｂの組み合わせ以外についても同様である。つまり、第１扉２と第３扉４ａとの関係、第３扉４ｂと第３扉４ｃとの関係及び第３扉４ｃと第２扉３との関係も、図２及び図３に示す関係と同様である。
【００３１】
検知部５は、筐体側接点部７に接続された導体６と第３接点部１０に接続された導体６との間の導通を検知する。検知部５により導通が検知されるということは、上記閉回路が形成されていることを意味する。この場合、第１扉２、第２扉３及び複数の第３扉４の全てが閉じている。一方、検知部５により導通が検知されないということは、上記閉回路が形成されていないことを意味する。この場合、第１扉２、第２扉３及び複数の第３扉４のうち少なくとも１つが開いている。
【００３２】
実施の形態１において、第１扉２、第２扉３及び複数の第３扉４の全てが閉じると、１つの閉回路が形成される。当該閉回路は、導体６及び各接点部により形成される。検知部５は、当該閉回路が形成されていないことに基づいて、筐体１の開口面を開閉する扉が開いていることを検知する。このため、実施の形態１におけるエレベーター制御装置では、スイッチ等の複雑な部品が不要である。その結果、簡単且つ安価な構成で、エレベーター制御装置の扉が開いていることを検知することができる。
【００３３】
実施の形態２．
実施の形態２において、接点部は、弾性を有している。以下、実施の形態１との相違点を中心にエレベーター制御装置の構成を説明する。実施の形態１と同一又は相当する部分には同一の符号を付して、一部の説明を省略する。
【００３４】
図４は、実施の形態２におけるエレベーター制御装置の構成を説明するための斜視図である。図４は、隣接する２つの扉を閉じると接触する２つの接点部を示している。図４は、一例として、第３扉４ａの第５接点部１２及び第３扉４ｂの第４接点部１１を示している。
【００３５】
図４に示す第４接点部１１及び第５接点部１２は、弾性を有している。第４接点部１１及び第５接点部１２は、弾性変形することで、互いに干渉する方向にも移動可能である。このため、例えば、第３扉４ａ及び第３扉４ｂがヒンジ構造を備えた扉であっても、第３扉４ａ及び第３扉４ｂの開閉順序が制約されることがない。
【００３６】
なお、必ずしも全ての接点部が弾性を有していなくともよい。隣接する任意の２つの扉を閉じると接触する２つの接点部のみが弾性を有している場合であっても、当該２つの扉の開閉順序が制約されないという効果が得られる。
【００３７】
さらに、接点部は、電気開閉接点のようにツイン接点として形成してもよい。この場合、接点部の接触信頼性を向上することができる。
【００３８】
実施の形態３．
実施の形態３において、接点部は、磁石を備えている。以下、実施の形態１との相違点を中心にエレベーター制御装置の構成を説明する。実施の形態１と同一又は相当する部分には同一の符号を付して、一部の説明を省略する。
【００３９】
図５は、実施の形態３におけるエレベーター制御装置の構成を説明するための斜視図である。図５は、一例として、第３扉４ａの第５接点部１２を示している。
【００４０】
図５に示す第３扉４ａの第５接点部１２は、磁石１３を備えている。また、図５に図示しない第３扉４ｂの第４接点部１１も、磁石を備えている。磁石１３は、第３扉４ａ及び第３扉４ｂが閉じる際に、第３扉４ｂの第４接点部１１が備えた磁石と互いに引き寄せ合う。このため、第５接点部１２と第４接点部１１をより確実に接触させることができる。その結果、筐体１及び開口面を開閉する扉の加工精度に誤差がある場合であっても、接点部の接触信頼性を向上することができる。
【００４１】
なお、必ずしも全ての接点部が磁石を備えていなくともよい。隣接する任意の２つの扉を閉じると接触する２つの接点部のみが磁石を備えている場合であっても、当該２つの接点部の接触信頼性を向上するという効果が得られる。
【００４２】
さらに、接点部は、弾性を有するものを含んでいてもよい。この場合、扉の開閉順序が制約されないという効果も得られる。
【００４３】
実施の形態４．
実施の形態４において、接点部は、コネクタとして形成されている。以下、実施の形態１との相違点を中心にエレベーター制御装置の構成を説明する。実施の形態１と同一又は相当する部分には同一の符号を付して、一部の説明を省略する。
【００４４】
図６は、実施の形態４におけるエレベーター制御装置の構成を説明するための側面図である。図６は、隣接する２つの扉の関係を示している。図６は、一例として、第３扉４ａと第３扉４ｂの関係を示している。
【００４５】
図６に示す第４接点部１１及び第５接点部１２は、コネクタとして形成されている。第５接点部１２は、上方に移動されることで第４接点部１１に接続される。このため、第３扉４ａ及び第３扉４ｂがスライド構造を備えた扉である場合に、第５接点部１２と第４接点部１１をより確実に接触させることができる。その結果、スライド構造を備えた扉に設けられた接点部の接触信頼性を向上することができる。
【００４６】
なお、必ずしも全ての接点部がコネクタとして形成されていなくともよい。隣接する任意の２つの扉を閉じると接触する２つの接点部のみがコネクタである場合であっても、当該２つの接点部の接触信頼性を向上するという効果が得られる。
【００４７】
実施の形態４において、コネクタの種類及び扉の開閉順序は限定されない。また、接続される２つのコネクタのうち、どちらがオス側コネクタでもよく、どちらがメス側コネクタでもよい。
【００４８】
実施の形態５．
実施の形態５において、筐体１の開口面を開閉する複数の扉は、異なった種類の扉を含んでいる。以下、実施の形態１との相違点を中心にエレベーター制御装置の構成を説明する。実施の形態１と同一又は相当する部分には同一の符号を付して、一部の説明を省略する。
【００４９】
図７は、実施の形態５におけるエレベーター制御装置の一例を示す斜視図である。図７に示すように、第１扉２、第２扉３及び複数の第３扉４は、全てが同じ形状且つ同じ大きさに形成されているわけではない。第３扉４ａは、第１扉２と同じ形状且つ同じ大きさに形成されている。第２扉３及び第３扉４ｂは、第１扉２よりも小さく形成されている。第２扉３と第３扉４ｂとは、同じ形状且つ同じ大きさに形成されている。第３扉４ｃは、第１扉２よりも大きく形成されている。
【００５０】
図７に示す第１扉２、第２扉３及び第３扉４は、全てが同じ開閉機構で開閉されるものではない。第１扉２、第３扉４ａ及び第３扉４ｃは、スライド構造を備えた扉である。一方、第２扉３及び第３扉４ｂは、ヒンジ構造を備えた扉である。
【００５１】
このように、実施の形態５では、筐体１の開口面を開閉する複数の扉として、形状、大きさ及び開閉機構が異なる扉が混在している。例えば、第１扉２、第２扉３及び複数の第３扉４は、スライド構造を備えた扉及びヒンジ構造を備えた扉の双方を含んでいる。この場合も、第１扉２、第２扉３及び複数の第３扉４の全てが閉じると、１つの閉回路が形成される。このため、扉の種類に関わらず、簡単且つ安価な構成でエレベーター制御装置の扉が開いていることを検知することができる。
【００５２】
実施の形態１から５において、第２扉３に設けられた第３接点部１０は、導体６によって検知部５と接続されている。しかしながら、新たに接点部を設ければ、第３接点部１０を検知部５と接続しなくともよい。例えば、筐体１には、検知部５と接続された新たな筐体側接点部を上端部等に設ける。第２扉３には、導体６によって第３接点部１０と接続され、第２扉３が閉じると上記の新たな筐体側接点部と接触する新たな接点部を設ける。第３接点部１０は、第２扉３が閉じると筐体側接点部７と電気的に接続される。この場合も、第１扉２、第２扉３及び複数の第３扉４の全てが閉じると、１つの閉回路が形成される。その結果、簡単且つ安価な構成で、エレベーター制御装置の扉が開いていることを検知することができる。
【００５３】
実施の形態１から５において、エレベーター制御装置は、第１扉２、第２扉３及び３つの第３扉４を備えている。しかしながら、本発明における第３扉４の数は、２つ又は４つ以上であってもよい。この場合も、簡単且つ安価な構成で、エレベーター制御装置の扉が開いていることを検知することができる。
【００５４】
本発明における第３扉４の数は、１つであってもよい。第３扉４が１つの場合、当該第３扉４の第４接点部１１は、第２接点部９に接触する。当該第３扉４の第５接点部１２は、第３接点部１０に接触する。第３扉４が１つの場合、第４接点部１１と第５接点部１２とが接触することはない。この場合も、第１扉２、第２扉３及び第３扉４の全てが閉じると、１つの閉回路が形成される。その結果、簡単且つ安価な構成で、エレベーター制御装置の扉が開いていることを検知することができる。
【００５５】
本発明において、第３扉４は、設けられていなくともよい。つまり、第１扉２及び第２扉３の２つのみで開口面を開閉することとしてもよい。第３扉４が設けられていない場合、第１扉２及び第２扉３が閉じると、第３接点部１０は第２接点部９に接触する。この場合も、第１扉２及び第２扉３の双方が閉じると、１つの閉回路が形成される。その結果、簡単且つ安価な構成で、エレベーター制御装置の扉が開いていることを検知することができる。
【００５６】
本発明における導体６としては、例えば、絶縁保護された電線が用いられる。この場合、より安価にエレベーター制御装置を構成することができる。
【００５７】
本発明は、エレベーター制御装置以外にも適用可能である。筐体の開口面を開閉する複数の扉を備えた装置に本発明を適用すれば、少なくとも１つの扉が開いていることを検知できる。
【符号の説明】
【００５８】
１  筐体、２  第１扉、３  第２扉、４  第３扉、４ａ  第３扉、４ｂ  第３扉、４ｃ  第３扉、５  検知部、６  導体、７  筐体側接点部、８  第１接点部、９  第２接点部、１０  第３接点部、１１  第４接点部、１２  第５接点部、１３  磁石
【図１】
2016003123.tif 000003
【図２】
2016003123.tif 000004
【図３】
2016003123.tif 000005
【図４】
2016003123.tif 000006
【図５】
2016003123.tif 000007
【図６】
2016003123.tif 000008
【図７】
2016003123.tif 000009